(57)【特許請求の範囲】
【請求項１】
住宅等の鉄骨床梁又はコンクリート基礎台の上に硬質の吸振ゴムを介して床パネルを固定すると共に、この床パネルの端部又は鉄骨天井梁の上の横木の端部に、壁パネルの上框と下框の各段部を嵌め合わせて、嵌め合わせた框をねじで床パネル又は横木の端部に取り付ける構造であって、
上記壁パネルの上框と下框の少なくとも一方に、上記ねじよりも大径の嵌合穴をあけると共に、上記ねじに、この嵌合穴に嵌合する硬質の吸振・圧縮力吸収用のゴムスリーブを嵌着していることを特徴とする壁パネルの取り付け構造。
【請求項２】
上記ゴムスリーブの嵌合先端部を先細りのテーパーに形成している請求項１に記載の壁パネルの取り付け構造。
【発明の詳細な説明】
【０００１】
【発明の属する技術分野】
本発明は、上下階の床パネルへの振動の伝達を抑制できると共に、壁パネルの変形等も防止できる壁パネルの取り付け構造に関する。
【０００２】
【従来の技術】
従来、住宅（店舗付き住宅等を含む）を建てる工法としては、木造、鉄筋コンクリート造あるいは鉄骨造があり、特に鉄骨造、とりわけ軽量鉄骨造よりも重量鉄骨造の方が、きわめて強靭な鋼材を素材として骨組みを組み立てる構造であるため、強靭で経済的な住宅を建てることができるという利点があり、近年では最も注目されている。
【０００３】
上記鉄骨造において、図４（Ａ）（Ｂ）に示すように、２階以上の鉄骨２階床梁１の上に床パネル２Ｂをボルト１１で直接固定したり、コンクリート基礎台３の上に床パネル２Ａを直接固定したりすると、歩行振動等が床パネル２Ｂから鉄骨２階床梁１に直接伝わって、鉄骨２階床梁１の微振が続くことにより、階下の天井面から歩行音等が大きく反響するという問題があった。また、鉄骨２階床梁１及びコンクリート基礎台３は硬いことから、歩行中の足腰に負担がかかるという問題もあった。
【０００４】
このため、本出願人は、特願平８−９９１５４号において、住宅等の鉄骨梁１又はコンクリート基礎台３の上に硬質の吸振ゴム４を介して床パネル２Ａ，２Ｂを固定した住宅用床パネルの固定構造を提案した。
これによれば、２階の床パネル２Ｂの歩行振動等は、鉄骨２階床梁１に伝わる前に吸振ゴム４で大幅に吸振されるから、鉄骨２階床梁１の微振が減少して階下の天井面から歩行音等が反響しにくくなる、つまり、吸振ゴム４で吸音されて歩行音等が小さくなると共に、１階のコンクリート基礎台３の上に吸振ゴム４を介して床パネル２Ａを固定しても、吸振ゴム４による吸振・吸音作用により歩行音等が小さくなるという作用・効果を奏することができる。
【０００５】
一方、１階の外壁パネル５Ａは、下框５ｂの段部を１階の床パネル２Ａの端部に嵌め合わせると共に、上框５ａの段部を２階の床パネル２Ｂの端部に嵌め合わせて、各框５ａ，５ｂを木ねじ６で床パネル２Ａ，２Ｂの端部に取り付けている。同様に、２階の外壁パネル５Ｂも、下框５ｂの段部を２階の床パネル２Ｂの段部に嵌め合わせると共に、上框５ａの段部を２階の鉄骨天井梁の上の横木（不図示）の端部に嵌め合わせて、各框５ａ，５ｂを木ねじ６で床パネル２Ｂ及び横木に取り付けている。
【０００６】
【発明が解決しようとする課題】
ところで、図５（Ａ）に示すように、２階の床パネル２Ｂに対する１階の外壁パネル５Ａの取り付け部分では、図５（Ｂ）に示すように、２階の床パネル２Ｂに人や荷物の荷重Ｐが作用して、吸振ゴム４がたわんだとき（例えば、吸振ゴム４の厚みが２５ｍｍであれば、２００Ｋｇ／平方ｃｍの荷重で約２ｍｍのたわみ量）、２階の床パネル２Ｂの上下振動に伴って、木ねじ６で取り付けられた１階の外壁パネル５Ａも上下振動しようとする。
このとき、１階の外壁パネル５Ａの下框５ｂは１階の床パネル２Ａに木ねじ６で取り付けられているから、外壁パネル５Ａ自体が上下振動することができないので、２階の床パネル２Ｂと１階の床パネル２Ａとの間に作用する圧縮力で外壁パネル５Ａが弓なり状に変形するようになる（二点鎖線参照）。
【０００７】
また、１階と２階の床パネル２Ａ，２Ｂに１階の外壁パネル５Ａの下框５ｂと上框５ａが木ねじ６で取り付けられているから、各階の床パネル２Ａ，２Ｂの歩行振動等が１階の外壁パネル５Ａを介して各階の床パネル２Ａ，２Ｂに伝達されやすい。
さらに、各床パネル２Ａ，２Ｂの上下振動に伴って、各床パネル２Ａ，２Ｂ及び横木の端部付近で木ねじ６に剪断力が作用して木ねじ６が剪断されるおそれがあると共に、各外壁パネル５Ａ，５Ｂのねじ穴付近でクラックが発生して、各外壁パネル５Ａ，５Ｂが破損するおそれがある。
【０００８】
本発明は、上記問題を解決するためになされたもので、上下階の床パネルへの振動の伝達を抑制できると共に、壁パネルの変形等も防止できる壁パネルの取り付け構造を提供することを課題とするものである。
【０００９】
【課題を解決するための手段】
上記課題を解決するために、本発明は、住宅等の鉄骨床梁又はコンクリート基礎台の上に硬質の吸振ゴムを介して床パネルを固定すると共に、この床パネルの端部又は鉄骨天井梁の上の横木の端部に、壁パネルの上框と下框の各段部を嵌め合わせて、嵌め合わせた框をねじで床パネル又は横木の端部に取り付ける構造であって、
上記壁パネルの上框と下框の少なくとも一方に、上記ねじよりも大径の嵌合穴をあけると共に、上記ねじに、この嵌合穴に嵌合する硬質の吸振・圧縮力吸収用のゴムスリーブを嵌着していることを特徴とする壁パネルの取り付け構造を提供するものである。
【００１０】
本発明によれば、壁パネルの上框と下框の各段部を床パネル等の端部に嵌め合わせて、嵌め合わせた框をねじで床パネル等の端部に取り付けるときに、上框と下框の少なくとも一方にあけた嵌合穴に、ねじに嵌着した硬質のゴムスリーブを嵌合させる。例えば、２階の床パネルの端部に取り付けた１階の壁パネルの上框に嵌合穴をあけて、この嵌合穴に、ねじに嵌着したゴムスリーブを嵌合させる。なお、壁パネルの上框と下框の両方に嵌合穴をあけて、ねじに嵌着したゴムスリーブを嵌合させるようにしても良い。
【００１１】
これにより、２階の床パネルが上下振動したとき、２階の床パネルに固定されたねじを介して１階の壁パネルも上下振動しようとするが、ねじには吸振・圧縮力吸収作用を有するゴムスリーブが嵌着されているから、２階の床パネルの上下振動がゴムスリーブで吸振されて、１階の壁パネルに伝達されにくくなる。
同様に、１階の床パネルが上下振動したとき、これに伴って１階の壁パネルも上下振動するが、１階の壁パネルの上下振動がゴムスリーブで吸振されて、２階の床パネルに伝達されにくくなる。
これらにより、壁パネルを介して上下階の床パネルへの振動の伝達が抑制されるようになる。
【００１２】
また、２階の床パネルの上下振動がゴムスリーブで吸振されて、１階の壁パネルに伝達されにくくなるから、２階の床パネルの上下振動に伴う圧縮力が１階の壁パネルに作用しないので、１階の壁パネルが変形しなくなる。
さらに、ゴムスリーブの圧縮力吸収作用により、床パネル等の端部付近でねじに作用する剪断力が緩和されて、ねじが剪断されるおそれがなくなると共に、各壁パネルのねじ穴付近でのクラックの発生もなくなって、各壁パネルが破損するおそれもなくなる。
【００１３】
請求項２のように、ゴムスリーブの嵌合先端部を先細りのテーパーに形成すれば、壁パネルの嵌合穴にゴムスリーブをスムーズに嵌合させることができ、嵌合作業性が良好になる。
【００１４】
【発明の実施の形態】
以下、本発明の実施の形態を図面を参照して詳細に説明する。
なお、図４以下の従来技術と同一構成・作用の箇所は同一番号を付して詳細な説明は省略する。
図１（Ａ）に示すように、２階の鉄骨２階床梁１の上に吸振ゴム４を乗せ、この吸振ゴム４の上に２階の床パネル２Ｂを乗せて、鉄骨２階床梁１に溶接したナット１０に、床パネル２Ｂの上方からボルト１１をねじ込み固定することにより、鉄骨２階床梁１の上に吸振ゴム４を介して床パネル２Ｂを固定する。
なお、図４に示したように、コンクリート基礎台３の上に吸振ゴム４を乗せ、この吸振ゴム４の上に１階の床パネル２Ａを乗せて、同様の工法でコンクリート基礎台３の上に吸振ゴム４を介して床パネル２Ａを固定する。
【００１５】
一方、１階の外壁パネル５Ａは、下框５ｂの段部を１階の床パネル２Ａの端部に嵌め合わせると共に、図１（Ａ）に示したように、上框５ａの段部を２階の床パネル２Ｂの端部に嵌め合わせる。
なお、上框５ａの段部の底面と床パネル２Ｂの底面との間には、組み付け誤差等を考慮して、数ｍｍの隙間ｔ１が生じるようにしている。
【００１６】
上記外壁パネル５Ａの下框５ｂは、従来と同様に、１階の床パネル２Ａの端部に木ねじ６で取り付ける。
この外壁パネル５Ａの上框５ａには、木ねじ６よりも大径の嵌合穴５ｃをあける。例えば、図２に示すように、木ねじ６のねじ径ｄ１が５ｍｍ、皿径ｄ２が２０ｍｍとした場合、嵌合穴５ｃの内径ｄ３を１５ｍｍとする。
【００１７】
上記木ねじ６には、外壁パネル５Ａの上框５ａの嵌合穴５ｃの深さにほぼ等しい長さＬで、この嵌合穴５ｃに嵌合する外径ｄ４（上記例では１５ｍｍ）の硬質ゴムスリーブ７を設け、このゴムスリーブ７の中心穴７ａに木ねじ６を挿入して、木ねじ６にゴムスリーブ７を嵌着する。
このゴムスリーブ７は、上記例では肉厚ｔ２が５ｍｍであって、この肉厚ｔ２の弾力により、吸振及び圧縮力吸収作用を有するようになる。
上記ゴムスリーブ７は、上記吸振ゴム４が２００Ｋｇ／平方ｃｍの荷重で約２ｍｍのたわみ量とした場合、これよりもたわみ量がやや多い性能のゴム素材を使用する。
上記ゴムスリーブ７の嵌合先端部７ｂは、先細りのテーパーに形成する。
【００１８】
そして、外壁パネル５Ａの上框５ａの嵌合穴５ｃに、ゴムスリーブ７を嵌着した木ねじ６を差し込み、木ねじ６を床パネル２Ｂの端部にねじ込みながら、ゴムスリーブ７を嵌合穴５ｃに嵌合させることにより、外壁パネル５Ａの上框５ａを２階の床パネル２Ｂの端部に木ねじ６で取り付ける。
なお、木ねじ６とゴムスリーブ７とを分離して、外壁パネル５Ａの上框５ａの嵌合穴５ｃに、外壁パネル５Ａの製造工場でゴムスリーブ７を予め嵌合させておいたり、施工現場でゴムスリーブ７を嵌合させたりしても良い。
上記ゴムスリーブ７の嵌合先端部７ｂは先細りのテーパーであるから、嵌合穴５ｃにゴムスリーブ７をスムーズに嵌合させることができる。
上記２階の外壁パネル５Ｂの上框５ａを鉄骨天井梁の上の横木の端部に木ねじ６で取り付ける部分もゴムスリーブ７を用いる構造とする。
【００１９】
上記構成において、図１（Ｂ）に示すように、２階の床パネル２Ｂに人や荷物の荷重Ｐが作用して、吸振ゴム４がたわんだとき、２階の床パネル２Ｂの上下振動に伴って、床パネル２Ｂに固定された木ねじ６を介して１階の外壁パネル５Ａも上下振動しようとするが、この木ねじ６にはゴムスリーブ７が嵌着されているから、木ねじ６の上下振動に伴ってゴムスリーブ７のみがたわみ、１階の外壁パネル５Ａが上下振動しなくなる。
つまり、２階の床パネル２Ｂの上下振動がゴムスリーブ７で吸振されて、１階の外壁パネル５Ａに伝達されにくくなる。
なお、上述したように、外壁パネル５Ａの上框５ａの段部の底面と床パネル２Ｂの底面との間には数ｍｍの隙間ｔ１が有るので、床パネル２Ｂの底面が外壁パネル５Ａの上框５ａの段部の底面に当接するおそれはない。
【００２０】
同様に、１階の床パネル２Ａが上下振動したとき、これに伴って１階の外壁パネル５Ａも上下振動するが、１階の外壁パネル５Ａの上下振動がゴムスリーブ７で吸振されて、２階の床パネル２Ｂに伝達されにくくなる。
これらにより、１階の外壁パネル５Ａを介して１階と２階の床パネル２Ａ，２Ｂへの振動の伝達が抑制されるのである。
【００２１】
また、２階の床パネル２Ｂの上下振動がゴムスリーブ７で吸振されて、１階の外壁パネル５Ａに伝達されにくくなることから、２階の床パネル２Ｂの上下振動に伴う圧縮力が１階の外壁パネル５Ａに作用しないので、１階の外壁パネル５Ａが弓なり状に変形しなくなる。
上記ゴムスリーブ７の圧縮力吸収作用により、各床パネル２Ａ，２Ｂ及び横木の端部付近で木ねじ６に作用する剪断力が緩和されて、木ねじ６が剪断されるおそれがなくなる。また、上下振動で伴って木ねじ６が緩んだり、外壁パネル５Ａ，５Ｂのねじ穴付近でのクラックの発生もなくなって、外壁パネル５Ａ，５Ｂが破損するおそれもなくなる。
【００２２】
上記実施の形態では、木ねじ６にゴムスリーブ７を嵌着したものであったが、図３に示すように、ボルト８ａとナット８ｂを使用して床パネル２Ｂに外壁パネル５Ａを取り付けるときは、ボルト８ａにゴムスリーブ７を嵌着すれば良い。
また、上記実施の形態では、各外壁パネル５Ａ，５Ｂの上框５ａにゴムスリーブ７を設けたものであったが、下框５ｂにゴムスリーブ７を設けるようにしても良く、上框５ａと下框５ｂの両方にゴムスリーブ７を設けるようにしても良い。
【００２３】
上記実施の形態では、１階と２階の床パネル２Ａ，２Ｂの間の外壁パネル５Ａを対象としたが、２階と３階のように、上階と下階の床パネルの間の外壁パネルにも適用できることは言うまでもない。
なお、外壁パネルのみでなく、内壁パネル等にも採用することができる。
【００２４】
【発明の効果】
以上の説明からも明らかなように、本発明の壁パネルの取り付け構造は、壁パネルの上框と下框をねじで上下階の床パネル又は横木の端部に取り付けるときに、上框と下框の少なくとも一方にあけた嵌合穴に、ねじに嵌着した硬質のゴムスリーブを嵌合させるようにしたから、ゴムスリーブの吸振作用により、壁パネルを介して上下階の床パネルへの振動の伝達が抑制されるようになる。
【００２５】
また、ゴムスリーブの圧縮力吸収作用により、圧縮力が壁パネルに作用しないので壁パネルが変形しなくなる。
さらに、ゴムスリーブの圧縮力吸収作用により、床パネル等の端部付近でねじに作用する剪断力が緩和されて、ねじが剪断されるおそれがなくなると共に、各壁パネルのねじ穴付近でのクラックの発生もなくなって、壁パネルが破損するおそれもなくなる。
【図面の簡単な説明】
【図１】本発明の壁パネルの取り付け構造であり、（Ａ）は断面図、（Ｂ）は床パネルが振動したときの断面図である。
【図２】木ねじとゴムスリーブであり、（Ａ）は木ねじの正面図、（Ｂ）はゴムスリーブを嵌着した木ねじの側面図、（Ｃ）はゴムスリーブの斜視図である。
【図３】ボルト・ナットを使用した壁パネルの取り付け構造の断面図である。
【図４】壁パネルであり、（Ａ）は正面図、（Ｂ）は側面断面図である。
【図５】従来の壁パネルの取り付け構造であり、（Ａ）は断面図、（Ｂ）は床パネルが振動したときの断面図である。
【符号の説明】
１    鉄骨梁
２Ａ，２Ｂ  床パネル
３    コンクリート基礎台
４    吸振ゴム
５Ａ，５Ｂ  外壁パネル
５ａ  上框
５ｂ  下框
５ｃ  嵌合穴
６    木ねじ
７    ゴムスリーブ
【図１】
0003586514.tif 000002
【図２】
0003586514.tif 000003
【図３】
0003586514.tif 000004
【図４】
0003586514.tif 000005
【図５】
0003586514.tif 000006